(57)【要約】【課題】組立工程における誤接続の発生を抑制できる電子装置の提供を目的とする。【解決手段】第１面２２１と第２面２２２とを有する座板２２と、第１面２２１から突出して第１の収容空間２３を形成する第１の枠壁２１３と、第２面２２２から突出して第２の収容空間２４を形成する第２の枠壁２１４と、第１の収容空間２３に収容される第１の電子部材３２と、第２の収容空間２４に収容される第２の電子部材３３と、第１の電子部材３２と接続できるよう第１の枠壁２１３に取り付けられる第１の端子３４と、第２の電子部材３３と接続できるよう第２の枠壁２１４に取り付けられる第２の端子３５と、第１の連絡端部３６１が第１の電子部材３２と接続できるよう第１の枠壁２１３から突出すると共に、第２の連絡端部３６２が第２の電子部材３３と接続できるよう第２の枠壁２１４から突出する連絡端子３６と、を備えた電子装置。【選択図】図４
0003207056.tif 000002
【実用新案登録請求の範囲】
【請求項１】
回路基板に実装するための電子装置であって、
第１面と前記第１面の反対側にある第２面とを有する略板状に形成される座板と、前記座板から前記第１面側に突出して前記座板と共に第１の収容空間を形成する第１の枠壁と、前記座板から前記第２面側に突出して前記座板と共に第２の収容空間を形成する第２の枠壁とを有するケースと、
前記ケースの前記第１の収容空間に収容される第１の電子部材と、
前記ケースの前記第２の収容空間に収容される第２の電子部材と、
前記回路基板と前記第１の電子部材を電気的に接続できるように前記第１の枠壁に取り付けられている第１の端子と、
前記回路基板と前記第２の電子部材を電気的に接続できるように前記第２の枠壁に取り付けられている第２の端子と、
前記第１の電子部材と電気的に接続できるよう前記第１の枠壁において前記第１の収容空間を介して前記第１の端子と相対する側から突出する第１の連絡端部と、前記第２の電子部材と電気的に接続できるよう前記第２の枠壁において前記第２の収容空間を介して前記第２の端子と相対する側から突出する第２の連絡端部とを有する連絡端子と、
を備えたことを特徴とする電子装置。
【請求項２】
前記第１の枠壁は、第１の壁部と、該第１の壁部と間を空けて配置されている第２の壁部と、を有するように形成されており、
前記第２の枠壁は、前記第１の壁部の反対側に配置されている第３の壁部と、該第３の壁部と間を空け、且つ前記第２の壁部の反対側に配置されている第４の壁部と、を有するように形成されており、
前記連絡端子の前記第１の連絡端部は、前記第１の枠壁の前記第２の壁部から突出しており、
前記第２の連絡端部は、前記第２の枠壁の前記第３の壁部から突出しており、
前記連絡端子は、前記第１の連絡端部と前記第２の連絡端部とを繋ぐ内部延伸部を更に有し、
該内部延伸部は、前記第１の連絡端部から、前記第２の壁部に沿って前記第４の壁部側へ延伸して前記座板内に挿し込まれてから前記座板に沿って前記第１の壁部側へ延伸して前記第１の壁部と前記第３の壁部との間に到達してから前記第３の壁部に沿って前記第２の連絡端部まで延伸するように形成されていることを特徴とする請求項１に記載の電子装置。
【請求項３】
前記第１の壁部は、前記第１面と同じ側に面している第１の端面が形成され、
前記第２の壁部は、前記第１面と同じ側に面している第２の端面が形成され、
前記第３の壁部は、前記第２面と同じ側に面している第３の端面が形成され、
前記第４の壁部は、前記第２面と同じ側に面している第４の端面が形成されており、
前記第１の端子は両端にそれぞれ、前記第１の壁部の前記第１の端面から突出して前記第１の電子部材と電気的に接続できる第１のリード接続端部と、前記第３の壁部の前記第３の端面から突出する第１の外部接続端部と、を有しており、
前記第２の端子は両端にそれぞれ、前記第４の壁部の前記第４の端面から突出して前記第２の電子部材と電気的に接続できる第２のリード接続端部と、前記第４の壁部の前記第４の端面から突出する第２の外部接続端部と、を有していることを特徴とする請求項２に記載の電子装置。
【請求項４】
前記第１の壁部は、前記第１面と同じ側に面している第１の端面が形成され、
前記第２の壁部は、前記第１面と同じ側に面している第２の端面が形成され、
前記第３の壁部は、前記第２面と同じ側に面している第３の端面が形成され、
前記第４の壁部は、前記第２面と同じ側に面している第４の端面が形成されており、
前記第１の端子は両端にそれぞれ、前記第１の壁部の前記第１の端面から突出して前記第１の電子部材と電気的に接続できる第１のリード接続端部と、前記第３の壁部の前記第２の収容空間に面する側の反対側にある外壁面から突出する第１の外部接続端部と、を有しており、
前記第２の端子は両端にそれぞれ、前記第４の壁部の前記第４の端面から突出して前記第２の電子部材と電気的に接続できる第２のリード接続端部と、前記第４の壁部の前記第２の収容空間に面する側の反対側にある外壁面から突出する第２の外部接続端部と、を有していることを特徴とする請求項２に記載の電子装置。
【請求項５】
前記第１の端子と前記第２の端子と前記連絡端子とをそれぞれ２つ備えており、
前記第１の電子部材は、
前記ケースの前記第１の収容空間に収容される円環状の第１のフレームと、
前記第１のフレームの一側に巻き付けられて両端がそれぞれ各前記第１の端子のそれぞれの前記第１のリード接続端部に電気的に接続されている第１の接続リードと、
前記第１のフレームの前記一側の反対側にある他の一側に巻き付けられて両端がそれぞれ各前記連絡端子のそれぞれの前記第１の連絡端部に電気的に接続されている第１の連絡リードと、
を有しており、
前記第２の電子部材は、
前記ケースの前記第２の収容空間に収容される円環状の第２のフレームと、
前記第２のフレームにおける両側にそれぞれ巻き付けられると共に、それぞれの一端が各前記連絡端子の前記第２の連絡端部とそれぞれ電気的に接続し、それぞれの他の一端が各前記第２の端子のそれぞれの前記第２のリード接続端部に電気的に接続されている２つの第２の接続リードと、
を有していることを特徴とする請求項３または４に記載の電子装置。
【請求項６】
前記第１の端子と前記第２の端子と前記連絡端子とをそれぞれ２つ備えており、更に、２つ前記第１の端子のいずれにも電気的に接続されている第１の接地端子と、
２つ前記連絡端子のいずれにも電気的に接続されている第２の接地端子と、
前記第１の電子部材の一側に巻き付けられて、一端が各前記第１の端子における１つに電気的接続され、該一端の反対側にある他端が前記第１の接地端子に電気的接続されている２本の第１の接続リードと、
前記第１の電子部材の前記一側の反対側にある他の一側に巻き付けられて、一端が各前記連絡端子における１つに電気的に接続され、該一端の反対側にある他端が前記第２の接地端子に電気的に接続されている２本の第１の連絡リードと、
を有しており、
前記第１の接地端子は両端にそれぞれ、前記第１の壁部の前記第１の端面から突出して前記２本の第１の接続リードと電気的に接続できる第１の接地端子リード接続部と、前記第３の壁部の前記外壁面から突出する第１の接地端子接地部と、を有しており、
前記第２の接地端子は両端にそれぞれ、前記第２の壁部の前記第２の端面から突出して前記２本の第１の連絡リードと電気的に接続できる第２の接地端子リード接続部と、前記第４の壁部の前記外壁面から突出する第２の接地端子接地部と、を有していることを特徴とする請求項４に記載の電子装置。
【請求項７】
前記第１の枠壁は、前記第１面と同じ側に面している先端面が形成されており、
該先端面には、略板状に形成されていて前記第１の電子部材が取付けられていると共に、各前記第１の端子及び各前記連絡端子の前記第１の連絡端部により挿通され且つ電気的に接続されている部材基板が取り付けられていることを特徴とする請求項１から６のいずれか一項に記載の電子装置。
【考案の詳細な説明】
【技術分野】
【０００１】
本考案は電子装置に関し、特にろ波機能のある電子装置に関する。
【背景技術】
【０００２】
以下、ろ波機能のある電子装置としては、例えば下記の特許文献１に記載されるものが挙げられる。図１と図２に該特許文献１に記載されるものが示されている。図１は該従来の電子装置１の構成が示されている平面図であり、図示のように、該従来の電子装置１は第１の電子部材１３と第２の電子部材１４を収容すると共に、複数の端子１２１、１２２、１２３、１２４、１２５が取付けられている。そして図２は該従来の電子装置１における第１の電子部材１３と第２の電子部材１４及び各端子１２１、１２２、１２３、１２４、１２５との配線関係が示されている説明図である。
【０００３】
図１と図２に示されているように、該従来の電子装置１は、収容空間１１１を囲むように形成されるケース１１と、ケース１１に取り付けられて２つの第１の端子１２１と２つの第２の端子１２２と２つの連絡端子１２５と第１の接地端子１２４及び第２の接地端子１２３、収容空間１１１内に収容されて各端子１２１、１２２、１２３、１２５と電気的に接続する第１の電子部材１３及び第２の電子部材１４とを備えている。
【０００４】
第１の電子部材１３は、円環状に形成されて収容空間１１１内に配置される第１のフレーム１３１と、第１のフレーム１３１の一側に巻き付けられて各第１の端子１２１及び第１の接地端子１２４と電気的に接続する第１の接続リード１３２と、第１のフレーム１３１の他の一側に巻き付けられて各連絡端子１２５及び第２の接地端子１２３と電気的に接続する第１の連絡リード１３３と、を有しているので、変圧器として機能できる。なお、第１の接続リード１３２は、２本に分かれており、それらの２本は、それぞれの一端を各第１の端子１２１と電気的に接続し、他端を共に第１の接地端子１２４と電気的に接続している。第１の連絡リード１３３も、２本に分かれており、それらの２本は、それぞれの一端を各連絡端子１２５と電気的に接続し、他端を共に第２の接地端子１２３と電気的に接続している。
【０００５】
一方、第２の電子部材１４は、円環状に形成されて収容空間１１１内に配置される第２のフレーム１４１と、第２のフレーム１４１における両側にそれぞれ巻き付けられながら、それぞれの一端が各連絡端子１２５とそれぞれ電気的に接続すると共に、それぞれの他端が各第２の端子１２２とそれぞれ電気的に接続する２つの第２の接続リード１４２と、を有しているので、チョークコイルとしてろ波の機能を発揮できる。
【先行技術文献】
【特許文献】
【０００６】
【特許文献１】台湾実用新案登録第Ｍ５０８１０７号
【考案の概要】
【考案が解決しようとする課題】
【０００７】
しかし、上記従来の電子装置１を組み立てる工程においては、第１の電子部材１３及び第２の電子部材１４を１つの収容空間１１１内に収容する上、各電子部材１３、１４の各リード１３２、１３３、及び２つの接続リード１４２を、これらの周辺に配置する８つの端子１２１、１２２、１２３、１２４、１２５とそれぞれ正確に接続する必要があるが、上記のように端子の数が多く且つすべてケース１１の収容空間１１１が開口する側の周壁に配置されているため、作業員がリードを間違えた端子に接続することによって不良品が生成されるおそれがある。
【０００８】
上記問題点に鑑みて、本考案は、組立工程における誤接続の発生を抑制できる電子装置の提供を目的とする。
【課題を解決するための手段】
【０００９】
上記目的を達成すべく、本考案の電子装置は、回路基板に実装するための電子装置であって、第１面と前記第１面の反対側にある第２面とを有する略板状に形成される座板と、前記座板から前記第１面側に突出して前記座板と共に第１の収容空間を形成する第１の枠壁と、前記座板から前記第２面側に突出して前記座板と共に第２の収容空間を形成する第２の枠壁とを有するケースと、前記ケースの前記第１の収容空間に収容される第１の電子部材と、前記ケースの前記第２の収容空間に収容される第２の電子部材と、前記回路基板と前記第１の電子部材を電気的に接続できるように前記第１の枠壁に取り付けられている第１の端子と、前記回路基板と前記第２の電子部材を電気的に接続できるように前記第２の枠壁に取り付けられている第２の端子と、前記第１の枠壁において前記第１の収容空間を介して前記第１の端子と相対する側から、第１の連絡端部が前記第１の電子部材と電気的に接続できるよう突出すると共に、第２の連絡端部が前記第２の電子部材と電気的に接続できるよう前記第２の枠壁において前記第２の収容空間を介して前記第２の端子と相対する側から突出する連絡端子と、を備えたことを特徴とする電子装置。
【考案の効果】
【００１０】
上記構成によれば、本考案の電子装置は、前記ケースが、前記第１の電子部材を収容する前記第１の収容空間と、前記第１の収容空間の反対側において前記第２の電子部材を収容する第２の収容空間とが形成されており、そして前記第１及び第２の端子がそれぞれ前記第１及び第２の電子部材に対応し、また各前記連絡端子が第１及び第２の連絡端部をそれぞれ前記第１及び第２の電子部材に対応するようにケースに取り付けられているので、第１の収容空間内に収容される第１の電子部材と接続する端子の接続箇所と、第１の収容空間の反対側にある第２の収容空間内に収容される第２の電子部材と接続する端子の接続箇所と、をケースの両側にそれぞれ配置することにより、組立工程において作業員がリードを間違えた端子に接続する確率を抑えることができる。
【図面の簡単な説明】
【００１１】
【図１】従来の電子装置が示されている平面図である。
【図２】従来の電子装置における第１の電子部材と第２の電子部材及び各端子との配線関係が示されている説明図である。
【図３】本考案の電子装置の第１の実施形態が示されている平面図である。
【図４】本考案の電子装置の第１の実施形態が示されている要部断面図である。
【図５】本考案の電子装置の第１の実施形態における配線関係が示されている説明図である。
【図６】本考案の電子装置の第２の実施形態が示されている要部断面図である。
【図７】本考案の電子装置の第３の実施形態が示されている平面図である。
【図８】本考案の電子装置の第３の実施形態におけるケースと各端子の構造が示されている一部斜視図である。
【図９】本考案の電子装置の第３の実施形態における各電子部材と各端子との配線関係が示されている略図である。
【図１０】本考案の電子装置の第４の実施形態が示されている要部断面図である。
【考案を実施するための形態】
【００１２】
以下、図３〜図５を参照しながら、本考案の電子装置を例示する第１の実施形態について詳しく説明する。図３は本考案の第１の実施形態が示されている平面図であり、図４は本考案の第１の実施形態が示されている要部正面断面図であり、そして図５は本考案の電子装置の第１の実施形態における配線関係が示されている説明図である。
【００１３】
本考案の電子装置は、図４に示す回路基板７に実装するためのものである。本考案の電子装置は、ケース２と、ケース２に収容される第１の電子部材３２及び図４、図５に示す第２の電子部材３３と、ケース２に収容される第１の電子部材３２及び第２の電子部材３３と、回路基板７と第１の電子部材３２を電気的に接続できるように第１の枠壁２１３に取り付けられる第１の端子３４と、回路基板７と第２の電子部材３３を電気的に接続できるように第２の枠壁２１４に取り付けられる第２の端子３５と、２つの連絡端子３６と、を備えている。
【００１４】
図４に示されているようにケース２は、第１面２２１と該第１面２２１の反対側にある第２面２２２とを有する略板状に形成される座板２２と、座板２２から第１面２２１側に突出し、座板２２と共に第１の電子部材３２を収容する第１の収容空間２３を囲む第１の枠壁２１３と、座板２２から第２面２２２側に突出し、座板２２と共に第２の電子部材３３を収容する第２の収容空間２４を囲む第２の枠壁２１４と、を有するように形成されている。なお、図３に示されるように座板２２の形状は方形に形成されているが、本実施形態に制限されず、必要に応じて円形や菱形など他の形状に適宜変更することも可能である。
【００１５】
図４に示されているように、座板２２と共に第１の収容空間２３を囲む第１の枠壁２１３は、第１の壁部２１５と、該第１の壁部２１５と間を空けて略平行に配置されている第２の壁部２１６と、を有するように形成されている。また、第１の壁部２１５は第１面２２１と同じ側（図４における上側）に面している第１の端面２１５１を有しており、そして第２の壁部２１６は第１面２２１と同じ側（図４における上側）に面している第２の端面２１６１を有している。一方、第２の枠壁２１４は、座板２２を介して第１の壁部２１５の反対側に配置されている第３の壁部２１７と、該第３の壁部２１７と間を空け、且つ第２の壁部２１６の反対側に配置されている第４の壁部２１８と、を有するように形成されている。また、第３の壁部２１７は第２面２２２と同じ側（図４における下側）に面している第３の端面２１７１を有しており、第４の壁部２１８は、第２面２２２と同じ側（図４における下側）に面している第４の端面２１８１を有している。
【００１６】
図４に示されているように第１の端子３４はそれぞれ、第１の枠壁２１３における第１の壁部２１５の第１の端面２１５１から突出して第１の接続リード３２２を介して第１の電子部材３２と電気的に接続できる第１のリード接続端部３４２と、第２の枠壁２１４における第３の壁部の第３の端面２１７１から突出する第１の外部接続端部３４３と、ケース２の内部において第１の壁部２１５の第１の端面２１５１から第３の壁部２１７の第３の端面２１７１まで延伸しながら、第１のリード接続端部３４２と第１の外部接続端部３４３を繋ぐ第１の延伸部３４１と、を有している。一方、第２の端子３５は両端にそれぞれ、第２の枠壁２１４における第４の壁部２１８の第４の端面２１８１から突出して第２の電子部材３３と電気的に接続する第２のリード接続端部３５２と、同じく上述した第２のリード接続端部３５２よりも第２の収容空間２４から離れた位置であって第４の壁部２１８の第４の端面２１８１から突出する第２の外部接続端部３５３と、第４の壁部２１８の内部において第２のリード接続端部３５２と第２の外部接続端部３５３を繋ぐ第２の延伸部３５１と、を有している。
【００１７】
各連絡端子３６はそれぞれ、第１の枠壁２１３において第１の収容空間２３を介して第１の端子３４と相対する側から突出して第１の電子部材３２と電気的に接続できる第１の連絡端部３６１と、第２の枠壁２１４において第２の収容空間２４を介して第２の端子３４と相対する側から突出して第２の電子部材３３と電気的に接続できる第２の連絡端部３６２と、第１の連絡端部３６１と第２の連絡端部３６２とを繋ぐ内部延伸部３６３と、を有している。更に詳しく説明すると、第１の連絡端部３６１は第１の枠壁２１３における第２の端面２１６１から突出しており、第２の連絡端部３６２は第２の枠壁２１４の第３の端面２１７１から突出しており、そして内部延伸部３６３は、第１の連絡端部３６１から、第２の壁部２１６に沿って第４の壁部２１８側へ延伸して座板２２内に挿し込まれてから座板２２に沿って第１の壁部２１５側へ延伸して第１の壁部２１５側と第３の壁部２１７との間に到達してから第３の壁部２１７に沿って第２の連絡端部３６２まで延伸するように形成されている。
【００１８】
図５に示されているように第１の電子部材３２は、ケース２の第１の収容空間２３（図４）に収容される円環状の第１のフレーム３２１と、第１のフレーム３２１の一側に巻き付けられて両端がそれぞれ各第１の端子３４のそれぞれの第１のリード接続端部３４２（図４）に電気的に接続されている第１の接続リード３２２と、第１のフレーム３２１の前記一側の反対側にある他の一側に巻き付けられて両端がそれぞれ各連絡端子３６のそれぞれの第１の連絡端部３６１に電気的に接続されている第１の連絡リード３２３と、を有することで、変圧器として機能することができる。
【００１９】
一方、第２の電子部材３３は、ケース２の第２の収容空間２４（図４）に収容される円環状の第２のフレーム３３１と、第２のフレーム３３１における両側にそれぞれ巻き付けられると共に、それぞれの一端が各連絡端子３６の第２の連絡端部３６２とそれぞれ電気的に接続し、それぞれの他端が各第２の端子３５のそれぞれの第２のリード接続端部３５２（図４）に電気的に接続されている２つの第２の接続リード３３２と、を有することで、チョークコイルとして、特にコモンモードチョークコイルとしてろ波の機能を発揮できる。無論、本実施形態に制限されず、第１の電子部材３２や第２の電子部材３３を変圧器やチョークコイル以外の電子部材として構成することは可能である。
【００２０】
続いては図４及び図５を参照して本考案の電子装置の組立工程を説明する。本考案の電子装置を組み立てる際に作業員は、まず第１のフレーム３２１と、第１のフレーム３２１の一側に巻き付けられている第１の接続リード３２２とを有する第１の電子部材３２及び第２のフレーム３３１と、第２のフレーム３３１に巻き付けられる第２の接続リード３３２とを有する第２の電子部材３３をそれぞれケース２にある第１及び第２の収容空間２３、２４内に設置する。それから第１の電子部材３２が有する第１の接続リード３２２の両端を、第１の枠壁２１３にある第１の端面２１５１から突出する各第１の端子３４の第１のリード接続端部３４２にそれぞれ巻き付けて接続し、また第１の連絡リード３２３の両端を、各連絡端子３６の第１の連絡端部３６１にそれぞれ巻き付けて接続する。一方、第２の電子部材３３にある各第２の接続リード３３２を、それぞれの一端が第２の枠壁２１４にある第３の端面２１７１から突出する各第２の連絡端部３６２に巻き付け、またそれぞれの他端が第４の端面２１８１から突出する各第２の端子３５の第２のリード接続端部３５２に巻き付けるように接続すると、本考案の電子装置を作成することができる。
【００２１】
そして、この構造によれば、第１の電子部材３２と接続する各第１の端子３４にある第１のリード接続端部３４２及び各連絡端子３６の第１の連絡端部３６１は、全て第１の電子部材３２が収容される第１の収容空間２３を囲む第１の枠壁２１３側に突出しており、一方、第２の電子部材３３と接続する各第２の端子３５にある第２のリード接続端部３５２及び各連絡端子３６の第２の連絡端部３６２は、全て第１の枠壁２１３の反対側にあって第２の電子部材３３が収容される第２の収容空間２４を囲む第２の枠壁２１４側に突出しているため、作業員がリードを間違えた端子に接続する確率を抑えることができる。
【００２２】
なお、作成された本考案の電子装置は、各第１の端子３４にある第１の外部接続端部３４３と各第２の端子３５にある第２の外部接続端部３５３が、回路基板７に設けられている所定の各スルーホール７１にそれぞれ挿入されることで、該回路基板７の電気回路（図示せず）と電気的に接続することができる。
【００２３】
以下、図６を参照して本考案の電子装置を例示する第２の実施形態について説明する。
【００２４】
図６は本考案の第２の実施形態が示されている要部断面図である。
【００２５】
第２の実施形態は、構造的に前記第１の実施形態と共通する所が多いが、第１の端子３４ａにある第１の外部接続端部３４３ａが、第３の壁部２１７の第２の収容空間２４に面する側の反対側にある外壁面から突出しており、そして第２の端子３５ａにある第２の外部接続端部３５３ａが、第４の壁部２１８の第２の収容空間２４に面する側の反対側にある外壁面から突出する点が異なっている。なお、前記第１の実施形態と共通する部材は、同一の符号で表示して詳しい説明を省略する。また、第３の壁部２１７、第２の収容空間２４、第４の壁部２１８、第２の収容空間２４については、上述した図４の実施形態と同様の位置に存在するので、図６においては符号も省略する。
【００２６】
この形状によれば、本考案の電子装置は、各第１の端子３４ａにある第１の外部接続端部３４３ａ及び各第２の端子３５にある第２の外部接続端部３５３ａが回路基板７ａの所定の位置に配置され、更に半田付けなどの方法によって該回路基板７ａに接着されることで、その電気回路（図示せず）と電気的に接続することができる。
【００２７】
以下、図７〜図９を参照して本考案の電子装置を例示する第３の実施形態について説明する。図７は本考案の第３の実施形態が示されている平面図であり、図８は本考案の第３の実施形態におけるケース２と各端子３４ａ、３５ａ、３６、３７、３８との構造が示されている一部斜視図であり、そして図９は第２の実施形態における配線関係が示されている説明図である。
【００２８】
第３の実施形態は、構造的に前記第２の実施形態と共通する所が多いが、この第３の実施形態において、２つ第１の端子３４ａのいずれにも電気的に接続されている第１の接地端子３７と、２つ連絡端子３６のいずれにも電気的に接続されている第２の接地端子３８と、第１の電子部材３２ｂの一側（図７における左側）に巻き付けられて、一端が各第１の端子３４ａにおける１つに電気的接続され、該一端の反対側にある他端が第１の接地端子３７に電気的接続されている２本の第１の接続リード３２５と、第１の電子部材３２ｂの前記一側の反対側にある他の一側（図７における右側）に巻き付けられて、一端が各連絡端子３６における１つに電気的接続され、該一端の反対側にある他端が第２の接地端子３８に電気的接続されている２本の第１の連絡リード３２６と、を備えている。
【００２９】
また、この第３の実施形態において、各第１の端子３４ａは、両端にそれぞれ、第１の壁部２１５の第１の端面２１５１から突出して２本の第１の接続リード３２５と電気的に接続できる第１の接地端子リード接続部３７１と、第３の壁部２１７の前記外壁面から突出する第１の接地端子接地部３７２と、を有しており、そして各第２の接地端子３８は両端にそれぞれ、第２の壁部２１６の第２の端面２１６１から突出して２本の第１の連絡リード３２６と電気的に接続できる第２の接地端子リード接続部３８１と、第４の壁部２１８の前記外壁面から突出する第２の接地端子接地部３８２と、を有している。
【００３０】
この構造によれば、本考案の電子装置の第３の実施形態には、接地の効果が付加される。
【００３１】
以下、図１０を参照しながら本考案の電子装置を例示する第４の実施形態について説明する。図１０は本考案の第４の実施形態が示されている要部断面図である。
【００３２】
第４の実施形態は、構造的に前記第１の実施形態と共通する所が多いが、この第４の実施形態において、第１の枠壁２１３は、第１面２２１と同じ側（図中の上側）に面している先端面２１３１を有しており、該先端面２１３１には、略板状に形成されている部材基板３２４が取付けられている。また、この第４の実施形態において、第１の電子部材３２ｃは部材基板３２４に取付けられており、そして各第１の端子３４にある第１のリード接続端部３４２及び各連絡端子３６の第１の連絡端部３６１は部材基板３２４を挿通している。更に、この第４の実施形態では第１の収容空間２３を覆うようにケース２に取り付けられるケース蓋４を更に備えている。なお、第１の電子部材３２ｃとしては他の実施例と同様に例えば変圧器を用いても良い。ちなみに、この第４の実施形態において、第１の電子部材３２ｃは部材基板３２４を介して該部材基板３２４を挿通する第１の端子３４や連絡端子３６に電気的に接続するようになっている。
【００３３】
この第４の実施形態に示されるように、本考案の電子装置において第１の収容空間２３または第２の収容空間２４に収容される電子部材は必ずしも座板２２に取り付ける必要はなく、例えば部材基板３２４など他の電子部材に配置されることも可能であり、これにより他の機能の追加や強化を図ることが可能である。
【００３４】
以上の各実施形態によれば、本考案の電子装置は、ケース２が、第１の電子部材３２を収容する第１の収容空間２３と、第１の収容空間２３の反対側において第２の電子部材３３を収容する第２の収容空間２４とが形成され、そして各第１の端子３４が第１の収容空間２３にある第１の電子部材３２に対応し、各第２の端子３５が第２の収容空間２４にある第２の電子部材３３に対応し、また各連絡端子３６が両端３６１、３６２をそれぞれ第１及び第２の電子部材３２、３３に対応するようにケース２に取り付けられるため、組立工程において作業員がリードを間違えた端子に接続する確率を抑制できる。
【００３５】
以上、本考案の好ましい実施形態を説明したが、本考案はこれに限定されるものではなく、その要旨を逸脱しない範囲で種々変更可能である。
【産業上の利用可能性】
【００３６】
上記構成によれば、本考案の電子装置は、誤接続による不良品多発を抑えることができる。
【符号の説明】
【００３７】
２  ケース
２１３  第１の枠壁
２１３１  先端面
２１４  第２の枠壁
２１５  第１の壁部
２１５１  第１の端面
２１６  第２の壁部
２１６１  第２の端面
２１７  第３の壁部
２１７１  第３の端面
２１８  第４の壁部
２１８１  第４の端面
２２  座板
２２１  第１面
２２２  第２面
２３  第１の収容空間
２４  第２の収容空間
３２、３２ｂ、３２ｃ  第１の電子部材
３２１  第１のフレーム
３２２、３２５  第１の接続リード
３２３、３２６  第１の連絡リード
３２４  部材基板
３３  第２の電子部材
３３１  第２のフレーム
３３２  第２の接続リード
３４、３４ａ  第１の端子
３４１  第１の延伸部
３４２  第１のリード接続端部
３４３、３４３ａ  第１の外部接続端部
３５、３５ａ  第２の端子
３５１  第２の延伸部
３５２  第２のリード接続端部
３５３、３５３ａ  第２の外部接続端部
３６  連絡端子
３６１  第１の連絡端部
３６２  第２の連絡端部
３６３  内部延伸部
３７  第１の接地端子
３７１  第１の接地端子リード接続部
３７２  第１の接地端子接地部
３８  第２の接地端子
３８１  第２の接地端子リード接続部
３８２  第２の接地端子接地部
４  ケース蓋
７、７ａ  回路基板
７１  スルーホール
【図１】
0003207056.tif 000003
【図２】
0003207056.tif 000004
【図３】
0003207056.tif 000005
【図４】
0003207056.tif 000006
【図５】
0003207056.tif 000007
【図６】
0003207056.tif 000008
【図７】
0003207056.tif 000009
【図８】
0003207056.tif 000010
【図９】
0003207056.tif 000011
【図１０】
0003207056.tif 000012